(57)【特許請求の範囲】
【請求項１】
撮影レンズの像面湾曲を補正するために写真フイルムを前記撮影レンズ側に凹面を向けて湾曲した形状に支持したカメラに組み込まれ、前記撮影レンズによって被写体像が撮影される撮影画面内に、表示パネルに表示されたデータを投影レンズを介して光学的に記録するデータ写し込み装置において、前記投影レンズ光軸は、前記撮影レンズ光軸を含みかつ所定方向に平行な平面上に、この平面の垂直方向から前記投影レンズ光軸を投射したときに、投射された光軸が前記撮影レンズ光軸と物体側で交差するように前記撮影レンズ光軸に対して傾けられており、写真フイルムに対して前記撮影レンズ側に、物体側から順に前記表示パネル、絞り、前記投影レンズを配置し、前記表示パネルを、前記投影レンズの光軸に直交する平面に対して傾けて配置して、前記投影レンズにより写真フイルム上に形成される前記表示パネルの像面を写真フイルムの湾曲面に沿うようにしたことを特徴とするデータ写し込み装置。
【請求項２】
前記撮影画面は、前記所定方向の断面が前記撮影レンズ側に曲率中心を持った一定の曲率半径の円弧であり、前記写真フイルム面の曲率半径をＲｃ，前記平面上に投射された投影レンズ光軸と撮影レンズ光軸との交点から写真フイルムと撮影レンズ光軸との交点までの長さをＬａとしたときに、
Ｒｃ×１．５＜Ｌａ＜Ｒｃ×４
なる条件を満たすようにしたことを特徴とする請求項１記載のデータ写し込み装置。
【請求項３】
前記撮影画面は、前記所定方向の断面が不定の曲率半径で前記撮影レンズ側に湾曲しており、前記撮影レンズ光軸及び投影レンズ光軸のそれぞれが写真フイルムと交差する各位置を用いて求めた擬似的な写真フイルムの曲率半径をＲｃ’、前記平面上に投射された投影レンズ光軸と撮影レンズ光軸との交点から写真フイルムと撮影レンズ光軸との交点までの長さをＬａとしたときに、
Ｒｃ’×１．５＜Ｌａ＜Ｒｃ’×４
なる条件を満たすようにしたことを特徴とする請求項１記載のデータ写し込み装置。
【請求項４】
前記表示パネルを前記撮影レンズ光軸に直交する平面に対してほぼ平行に配置したことを特徴とする請求項１ないし３のいずれか１項に記載のデータ写し込み装置。
【請求項５】
前記所定方向はフイルム長手方向であることを特徴とする請求項１ないし４のいずれか１項に記載のデータ写し込み装置。
【請求項６】
撮影レンズによって被写体像が撮影される写真フイルム上の撮影画面内に、投影レンズを介して表示パネルに表示されたデータを光学的に記録するデータ写し込み装置において、
前記表示パネルが撮影レンズの光軸から離れる方向に、表示パネルの中心を前記投影レンズの光軸からずらした状態を保って、前記投影レンズの光軸と平行なラインを回転中心として投影レンズを回動可能に保持する手段と、
前記保持手段を回動させて、投影レンズの光軸を平行移動させることで、前記表示パネルのデータが写真フイルム上に投影される位置を投影レンズの光軸よりも撮影レンズの光軸に寄った状態で、前記写真フイルム上の投影位置を変位させる手段とを設けたことを特徴とするデータ写し込み装置。
【請求項７】
前記写真フイルムの撮影画面は、前記撮影レンズの像面湾曲を補正するために前記撮影レンズ側に凹面を向けて湾曲して支持されており、前記データ写し込み装置は更に光路長調整板を備えており、前記光路長調整板は前記投影レンズの回動に連動して前記表示パネルと前記投影レンズとの間に挿入されて、前記投影レンズによって形成される前記表示パネルの像面の光軸方向の位置を調整することを特徴とする請求項６記載のデータ写し込み装置。
【請求項８】
前記表示パネルを前記投影レンズ光軸に直交する平面に対して傾けることによって、前記投影レンズにより写真フイルム上に形成される前記表示パネルの像面を、写真フイルムの湾曲面に沿うようにしたことを特徴とする請求項７記載のデータ写し込み装置。
【請求項９】
少なくとも２種類の異なるサイズのプリント写真が得られるように撮影時にプリントサイズを指定するためのプリントサイズ切換操作機構を備えたカメラにおいて、
データを表示する表示パネルと、
撮影レンズによって被写体像が撮影される写真フイルム上の撮影画面内に、表示パネルに表示されたデータを投影して光学的に記録する投影レンズと、
前記表示パネルが撮影レンズの光軸から離れる方向に、表示パネルの中心を前記投影レンズの光軸からずらした状態を保って、前記投影レンズの光軸と平行なラインを回転中心として投影レンズを回動可能に保持する手段と、
前記プリントサイズ切換操作機構の切換操作に連動して前記保持手段を回動させ、投影レンズの光軸を平行移動させることで、前記表示パネルのデータが投影される位置を投影レンズの光軸よりも撮影レンズの光軸に寄った状態で、前記写真フイルム上の投影位置を指定されたプリントサイズに応じた位置に変位させる手段とを設けたことを特徴とするカメラ。
【請求項１０】
前記カメラは、写真フイルムの撮影画面を、前記撮影レンズの像面湾曲を補正するために前記撮影レンズ側に凹面を向けて湾曲して支持しており更に光路長調整板を備えており、前記光路長調整板は、前記投影レンズの回動に連動して前記表示パネルと前記投影レンズとの間に挿入されて、前記投影レンズによって形成される前記表示パネルの像面の光軸方向の位置を調整することを特徴とする請求項９記載のカメラ。
【請求項１１】
前記表示パネルを前記投影レンズ光軸に直交する平面に対して傾けることによって、前記投影レンズにより写真フイルム上に形成される前記表示パネルの像面を、写真フイルムの湾曲面に沿うようにしたことを特徴とする請求項１０記載のカメラ。
【請求項１２】
前記写真フイルムの撮影画面は、前記撮影レンズ側に凹面を向けてフイルム長手方向に湾曲して支持されており、前記投影レンズ光軸は、前記撮影レンズ光軸を含みかつ前記長手方向に平行な平面上にこの平面の垂直方向から前記投影レンズ光軸を投射したときに、投射された光軸が前記撮影レンズ光軸と物体側で交差するように前記撮影レンズ光軸に対して傾けられていることを特徴とする請求項１１記載のカメラ。
【発明の詳細な説明】
技術分野
本発明は、写真フイルムの撮影画面内に日付等のデータを光学的に写し込むデータ写し込み装置及びデータ写し込み装置を備えたカメラに関する。ここにおいて、カメラとは、使用者側でフイルム装填することのできないレンズ付きフイルムユニットも含む。
背景技術
写真フイルムに撮影日や時間等の日付データを光学的に写し込むデータ写し込み装置を内蔵したカメラが知られている。簡単な撮影機構を内蔵したユニット本体に未露光の写真フイルムが予め装填されたレンズ付きフイルムユニット（以下フイルムユニットと称する）にも、データ写し込み装置を内蔵することが望まれている。このデータ写し込み装置としては、写真フイルムの前面（乳剤面）側から写し込む方式のものと、写真フイルムの裏面（ベース面）側から写し込む方式のものとがある。いずれの方式においても、撮影レンズで撮影される画面の角端から僅かに中心側に寄せた位置に日付データを写し込むのが一般的である。
写真フイルムの裏面側からデータを写し込む方式では、写し込むべきデータ、例えば撮影日が白抜き（透明）文字で表示される液晶パネル等の表示パネルを写真フイルムの裏面に近接して配置しておき、シャッタの作動に同期させて表示パネルを裏面側から照明し、透過した光で直接に撮影画面内にデータを写し込んでいる。また、発光ダイオード等を用いた表示パネルを用い、この発光ダイオードから放出された光で直接に撮影画面内にデータを写し込むようにしたものもある。この方式では、表示パネルの表示内容を写真フイルム上に結像させるための光学系を必要としない。
しかし、表示パネルやこれを照明するための照明用ランプ等からなるデータ写し込み装置をカメラの裏蓋や、あるいはフイルムユニットの後カバーに設けなければならず、カメラやフイルムユニットの厚みが増大してしまうといった欠点がある。さらに、撮影とデータの写し込みとのタイミングを同期させるためには、写真フイルムの裏面側に配されたデータ写し込み装置と、写真フイルムの前面側に設けられた回路や機構を連動させる必要があり、部品点数が増加したり、配線の引き回しのために組み付け工程が複雑化したり、工程数が増加する等してコスト上昇を招くといった欠点がある。
一方、写真フイルムの前面側からデータを写し込む方式では、表示パネルと写真フイルムの乳剤面との間に投影レンズを配し、表示パネルに表示されたデータを、投影レンズで写真フイルム上に投影することにより写し込んでいる。この方式では、投影レンズを用いるため、またカメラボディの厚みを利用して表示パネルと写真フイルムとの間隔を十分に確保できるため、データをシャープな画像で写し込むことができる。
さらに、データを写真フイルムの前面側から写し込む方式として、撮影レンズからの被写体光を写真フイルムに導く撮影用シャッタ開口の近傍に、データ用シャッタ開口を設け、表示パネルと投影レンズとをこの前後に配置し、このデータ用シャッタ開口を、撮影用シャッタ開口を開閉するシャッタ羽根と一体に形成されたデータ用シャッタ部材で開閉するようにしたデータ写し込み装置が本出願人から提案されている（特願平９−１４１２４９号）。これによれば、撮影と同期してデータ用シャッタ開口が開放されている間に、表示パネルからの透過光を投影レンズでフイルムに投影して、表示パネルに表示されたデータを写真フイルム上に写し込むことができる。
現在販売されているカメラには、同じ写真フイルム上に撮影した画面から、異なるアスペクト比のプリント写真が得られるように撮影時にプリントサイズを指定できるようにしたものがある。このプリントサイズ指定方法としては、プリントサイズ切換え操作部材の切換操作に連動して実際に写真フイルムに写し込む範囲を変更するもの、露光範囲は一定で露光範囲外に指定されたサイズに応じたマークを写し込み、トリミングプリントするものなどがある。このようなプリントサイズ切換え機能を備えたカメラにおいて、指定されたプリントサイズに応じた適当な位置に日付データを写し込むためには、プリントサイズの切り換えに連動して日付データの投影位置を切り換える必要がある。従来のデータ写し込み装置では、投影レンズに対する表示パネルでのデータの表示位置を変化させたり、投影レンズと写真フイルムとの間に切換ミラーを設け、この切換ミラーの角度変化で投影位置を調節するようにしていた。しかしながら、データ写し込み装置の切換機構が複雑になるとともに、組み込みスペースや精度の確保が必要となるため、実用化が困難であった。
最近実用化され市販されている，Ａｄｖａｎｃｅｄ  Ｐｈｏｔｏ  Ｓｙｓｔｅｍ（ＡＰＳ）の写真フイルム及びカメラでは、写真フイルムのベース面側に形成された透明な磁気記録層に各コマごとにプリント写真のアスクペクト比を指定するデータを磁気記録することによって、写真フイルムの全てのコマを標準画面サイズで撮影しながら、標準画面サイズとは異なるアスペクト比の写真プリントを作成することができる。ＡＰＳでは、写真フイルムの標準露光領域もしくは標準画面サイズが、ハイビジョン（Ｈ）サイズプリント写真（８９×１５８ｍｍ）のアスペクト比と同じにされており、標準サイズの画面を左右から（画面の長手方向で）の制限した撮影領域から従来（Ｃ）サイズのプリント写真（８９×１２７ｍｍ）を作成し、標準画面を上下から（短辺方向で）制限した撮影領域からパノラミック（Ｐ）サイズのプリント写真（８９×２５４ｍｍ）を作成している。なお画面長手方向は、フイルムの長手方向に一致する。
さらにＡＰＳでは、カメラ側で撮影日等のデータを写真フイルムの磁気記録層に磁気記録しておくことで、プリント時にこのデータを読み取り、プリント写真上の指定された位置にプリントすることもできる。しかし、磁気記録のためには、磁気ヘッド及びこの磁気ヘッドを駆動・制御するための回路が必要であり、これらは高価であるため、低価格なカメラやフイルムユニットに磁気記録機能を採用することは実質的に不可能である。
ところで、ＡＰＳでは、撮影レンズによる露光領域を常に標準画面サイズとしておけば、撮影時にプリントサイズの切換えができないタイプの、例えばＣサイズ専用のカメラあるいはフイルムユニットを用いて撮影した写真であっても、撮影後に、例えばプリント注文時などに、Ｈ，Ｐ，Ｃサイズのいずれかのプリントサイズを選択することができる。この場合、Ｃサイズプリントが指定された場合でも撮影日等のデータがプリント写真内に入るようにするためには、データを標準画面内のＣサイズに対応する領域（Ｃサイズ画面）内に写し込む必要がある。
Ｃサイズ画面の左右端は、標準画面（Ｈサイズ画面）のそれよりも画面中央に、つまり撮影レンズの光軸（撮影光軸）側に寄っているので、写真フイルムの前面側から投影レンズとデータ用シャッタ開口を用いてデータを写し込む前述のようなデータ写し込み装置を用いてＣサイズ画面内にデータを写し込む場合、投影レンズの光軸位置を中心にデータ画像を写し込むようにしているので、投影レンズを画面中央側に寄せなければならず、投影レンズやこれを保持するレンズホルダ等が、Ｈサイズ画面に撮影するように設計された撮影レンズからの被写体光路を、Ｈサイズ画面の周縁部分で遮ってしまうといった問題があった。
被写体光路を遮らないようにするために、データ用シャッタ開口を撮影用シャッタ開口に近づけると、データ用シャッタ部材がデータ用シャッタ開口を開閉する過程で、撮影用シャッタ開口の前面を移動して、撮影された被写体像に露光ムラを生じてしまうという問題がでてくる。
一方、安価なカメラやレンズ付きフイルムユニット等では、簡単で安価な撮影レンズを用いているので、撮影レンズの像面湾曲を補正した被写体像を撮影できるようにするために、撮影レンズの背後で写真フイルムを像面湾曲に応じて凹面を撮影レンズに向けるようにして湾曲させて支持するようにしたものがある。
このような、写真フイルムを湾曲させて像面湾曲を補正するようにしたカメラまたはレンズ付きフイルムユニットに、上述のような写真フイルムの前面側からデータを写し込む方式を採用した場合、投影レンズを介して形成される表示パネルの像面が湾曲した写真フイルム面に沿っていないと、表示パネルの像、すなわち写し込むデータの一部分がボケてしまう。
従って、本発明は、日付等のデータを写真フイルムの前面側から撮影画面内に光学的に写し込む際に、撮影レンズからの光路を遮ることなくデータ記録位置を撮影光軸側に寄せることができるようにしたデータ写し込み装置を提供することを目的とする。
本発明の別の目的は、撮影レンズの像面湾曲を補正するように湾曲された写真フイルム面に表示パネルを用いてデータを写し込む際に、写し込まれたに像にボケが発生しないようにしたデータ写し込み装置を提供することにある。
本発明の更に別の目的は、簡単な構成でフイルム上のデータ記録位置を変更することのできるデータ写し込み装置を提供することを目的とする。
さらに本発明は、簡単な構成でプリントサイズの切換え操作に連動して、選択されたプリントサイズに応じてフイルム上のデータ記録位置を変更することのできるデータ写し込み装置を備えたカメラを提供することを目的とする。ここにおいて、カメラとは使用者側でフイルム装填可能なカメラだけでなくフイルムユニットも含む。
発明の開示
上記目的を達成するために、本発明は、撮影レンズによって被写体像が撮影される写真フイルム上の撮影画面内に、表示パネルに表示されたデータを投影レンズを介して光学的に記録するデータ写し込み装置において、前記表示パネルおよび投影レンズを写真フイルムに対して前記撮影レンズ側に配置し、前記表示パネルの中心を前記投影レンズの光軸よりも前記撮影レンズの光軸から離れる方向にずらして配置して、前記表示パネルのデータを写真フイルム上で前記投影レンズ光軸よりも前記撮影レンズ光軸側に寄った位置に投影して写し込むようにしてある。
本発明のデータ写し込み装置によれば、写真フイルムの前面側からデータを写し込む方式を採用しながら、投影レンズを撮影レンズの光軸側に寄せずとも、データを撮影光軸により近い位置に写し込むことができる。これにより、Ｈサイズプリント写真，Ｃサイズプリント写真のいずれを選択しても、被写体像を記録するための被写体光を投影レンズ等で遮ることがなく、プリント写真内に撮影日を記録できる。
本発明の有利な実施形態によれば、前記表示パネルと前記投影レンズの間に絞りを配し、前記投影レンズの焦点距離をｆ，前記絞りから前記投影レンズの像側の面までの間隔をｄ，前記投影レンズの表示パネル側及び像側の各面の曲率半径をそれぞれＲ１，Ｒ２としたときに、
１＞ｄ／ｆ≧０．３
｜Ｒ１｜＞｜Ｒ２｜×３
なる各条件を満たすようにする。
このように、投影レンズの焦点距離と、絞りから投影レンズの像側の面までの間隔との関係，また投影レンズの表示パネル側及び像側の各面の曲率半径との関係を所定の範囲となる調整することによって、撮影レンズからの光路を遮ることなく、表示パネルの像、すなわちデータを良好な状態で写真フイルム上に結像させることができる。
さらに、前記表示パネルから前記絞りまでの距離をＳ，前記表示パネルのフイルム長手方向の長さをＬ，前記投影レンズ光軸に対する前記表示パネルの中心のズラシ量をＱとしたときに、
θ＝ＴＡＮ−１｛（Ｑ＋Ｌ／２）／Ｓ｝
で与えられる、前記投影レンズ光軸に対する、前記表示パネルの前記投影レンズ光軸から遠い側の端部から前記絞りの中央を臨む角度θが
０＜θ＜０．５５
なる条件を満たすように規定することで、コンパクト性と投影レンズによる表示パネルの像の品質を確保できる。
前記撮影レンズのＦナンバーをＦ１，前記投影レンズのＦナンバーをＦ２としたときに、
ｌｏｇ２（Ｆ２）≦ｌｏｇ２（Ｆ１）
なる条件を満たすようにして、撮影レンズの露光条件に比較して投影レンズによる露光レベルを高く設定することで、自然光を利用して十分な露光量でデータを表示パネルの像を写真フイルムに記録することができる。
湾曲した形状で支持された写真フイルムに対してデータを記録する際に、投影レンズの投影光軸に直交する平面に対して表示パネルを傾けて、表示パネルの像面を写真フイルムの湾曲に沿うように写真フイルム上に形成するようにしたから、データ全体を良好なピント状態で写真フイルムに写し込むことができる。
湾曲した形状で支持された写真フイルムに対してデータを記録する際に、投影レンズの光軸を撮影光軸に対して傾けて、表示パネルの像面を写真フイルムの湾曲に沿うように写真フイルム上に形成するようにすれば、表示パネルを撮影レンズの光軸に直交する平面とほぼ平行にすることが可能になり、例えば、この平面とほぼ平行なカメラの外装面等に対して表示パネルを平行に配することができるようになるから、無駄なスペースをなくすことができる。
投影レンズをレンズ光軸からずれた回転中心で回転可能に保持したので、安価で簡単な構成でデータの記録位置を変位させることができる。プリントサイズ切換操作機構の切換操作に連動して、データ写し込み装置の投影レンズを回動させるようにすることによって、選択されたプリントサイズに適合した位置にデータを写し込むことができる。更に、写真フイルムが撮影位置で湾曲して支持される場合には、表示パネルと投影レンズとの間に、投影レンズの回動に連動して光路長を調整する光路長調整板を挿入するようにしたので、適正なピントでデータ写し込みを行うことができる。
発明を実施するための最良の形態
本発明をより詳細に説述するために、添付の図面に従ってこれを説明する。
第１図に示すフイルムユニットは、プリントサイズ指定機能を備えておらず、どのコマもＨサイズプリント写真と同じアスペクト比のＨサイズ画面全域に撮影されるようになっており、プリント注文時に所望のコマに対してＨサイズプリントを指定することによって、Ｃサイズプリント写真だけでなくＨサイズプリント写真も作成することができようにされている。
ユニット本体１０の前面には、撮影レンズ１１，ファインダ対物側窓１３，ストロボ発光部１４，ストロボ発光用の充電をオン，オフするための充電操作ノブ１５，及び集光板１６が設けられている。また、ユニット本体１０の上面には、シャッタボタン１７，残り撮影可能コマ数を表示するカウンタ窓１８，及びストロボ充電完了表示用ライトガイド１９が突出する開口２０が設けられている。ユニット本体１０の背面側には、１コマの撮影ごとに回転操作される巻上げノブ２１が露呈している。さらに、第２図に示すように、対物側窓１３に対面する位置にファインダ接眼側窓２２が設けられている。
ユニット本体１０は、本体基部２５，露光ユニット２６，ストロボユニット２７，前カバー２８，後カバー２９と，Ａｄｖａｎｃｅｄ  Ｐｈｏｔｏ  ＳｙｓｔｅｍのＩＸ２４０型写真フイルムカートリッジ３０と，データ写し込み装置の一部であるデートモジュール３１とから構成されている。
本体基部２５には、写真フイルムカートリッジ３０のカートリッジ筒３０ａを収納するためのカートリッジ収納室３３と、カートリッジ筒３０ａから引き出されてロール状にされた未露光の写真フイルム３０ｂを収納するためのフイルムロール室３４とが一体に形成されている。カートリッジ収納室３３の上部には、巻上げノブ２１が回動自在に配されている。この巻上げノブ２１は、その下部に一体に設けられた軸がカートリッジ収納室３３に収納されたカートリッジ筒３０ａのスプール３５の一端に係合されている。これにより、巻上げノブ２１を図中反時計方向に回動することにより、撮影済の写真フイルム３０ｂがカートリッジ筒３０ａ内に巻き取られる。
カートリッジ収納室３３とフイルムロール室３４との間には、写真フイルム３０ｂ上で撮影レンズ１１からの被写体光に露光される露光領域を画定するアパーチャ３６が形成され、このアパーチャ３６の周囲には、前方に突出した遮光筒３７が設けられている。アパーチャ３６は、Ｈサイズプリント写真と同じアスペクト比の標準画面サイズ（１６．７×３０．２ｍｍ）に露光領域を画定している。これにより、写真フイルム３０ｂ上には、各コマが標準画面サイズで撮影される。
露光ユニット２６は、シャッタ機構，フイルム巻き止め機構，ファインダ光学系１２等を、暗箱を兼ねるベース部３８に組み付けたものである。ベース部３８の前面には、シャッタカバー３９が取り付けられ、このシャッタカバー３９の前面に取り付けられたレンズホルダ４０によって撮影レンズ１１が保持されている。この露光ユニット２６は、ベース部３８が遮光筒３７に取り付けられることにより本体基部２５に組み付けられる。これにより、ベース部３８と遮光筒３７とによって撮影レンズ１１とアパーチャ３６との間が遮光される。また、露光ユニット２６には、モジュール保持板４１を介してデートモジュール３１が組み付けられる。
ストロボユニット２７は、ストロボ回路基板４２と、このストロボ回路基板４２に取り付けられたストロボ発光部１４，メインコンデンサ４３，シンクロスイッチ４４，電池４５等から構成されている。充電操作ノブ１５が上方に向けてスライドされると、この充電操作ノブ１５の背面側に形成された突起で金属接片４６ａが弾性変形されて接点４６ｂに接触することにより、充電スイッチがＯＮとなってメインコンデンサ４３への充電が行われる。
前カバー２８には、シャッタボタン１７やファインダ対物窓１３が形成されている他、撮影レンズ１１，ストロボ発光部１４，充電操作ノブ１５を露呈するための開口２８ａ〜２８０等が形成されている。また、撮影レンズ１１用の開口２８ａの近傍に形成された開口２８ｄには集光板１６がはめ込まれている。この前カバー２８は、露光ユニット２６，ストロボユニット２７，デートモジュール３１が組み付けられた本体基部２５の前面側にこれらを覆うようにしてに組み付けられる。
後カバー２９は、カートリッジ筒３０ａと写真フイルム３０ｂとをカートリッジ収納室３３とフイルムロール室３４とにそれぞれ収納した本体基部２５の背面側を覆う。この後カバー２９には、その底部に底蓋２９ａ，２９ｂが形成されており、これらの底蓋２９ａ，２９ｂによってカートリッジ収納室３３とフイルムロール室３４の底部が光密に閉じられる。
また、後カバー２９のアパーチャ３６に対面する部分には、フイルム支持面２９ｃが形成されている。このフイルム支持面２９ｃは、写真フイルム３０ｂの給送方向に沿って、撮影レンズ１１の光軸１１ａを中心に背面側に凹むように湾曲している。アパーチャ３６の上下に形成されたガイドレールは、フイルム支持面２９ｃに対応して背面側に突出するように湾曲している。これにより、アパーチャ３６の背後にセットされた写真フイルム３０ｂの部分は、凹面を撮影レンズ１１側に向けて、その給送方向に沿って湾曲した状態に保持される。これにより、撮影レンズ１１による像面湾曲を打ち消すようにしている。
第３図に示すように、デートモジュール３１は、モジュール基板に実装された水晶発振子，時計回路，ＬＣＤドライバ，初期設定スイッチ，表示パネルとしての液晶パネル５０等の電子部品と、モジュール用電池５１と、モジュールケース５２とから構成されている。モジュール基板は、モジュールケース５２内に組み込まれており、モジュール用電池５１は、モジュールケース５２の前面側と背面側にに配された一対の接片５４に把持され、これらの接片５４を介してモージュルケース５２内の各回路に電力供給を行う。
時計回路は、数年分のカレンダー情報を記憶しており、内蔵した水晶発振子を用いて一定周期のクロック信号を発生し、このクロック信号に基づいて時間と年月日を計時し、現在の年月日を表す年月日データを作成する。時計回路の年月日データは初期設定スイッチを用いて製造時に初期設定される。そして、この年月日データに基づいてＬＣＤドライバが液晶パネル５０を駆動することにより、この液晶パネル５０に写真フイルム３０ｂに写し込むべきデータ、すなわち現在の日付（「年，月，日」）が表示される。モジュール電池５１は、例えばボタン型のものが用いられており、モジュール本体５０の各回路による消費電力を少なくすることによって、これらを数年間駆動できるようにされている。
液晶パネル５０は、モジュールケース５２の前面側及び背面側に形成された開口から露呈されている。前面側の開口を介して前カバー２８に組み付けられた集光板１６の照明部１６ａに対面され、照明部１６ａによって照明される。この液晶パネル５０としては、不透明な背景に白抜きの（透明な）日付、例えば「９８，１１，０３」等の文字を表示する透過型のものが用いられており、照明部１６ａからの、液晶パネル５０を透過した透過光がモジュールケース５２の背面側の開口から、日付データ記録用のデート光として射出される。
デートモジュール３１は、モジュール保持板４１に取り付けられる。モジュール保持板４１の前面には、凸縁４１ａ，４１ｂと、係合爪４１ｃとが形成されており、各凸縁４１ａ，４１ｂによってモジュール保持板４１上でデートモジュール３１が位置決めされ、係合爪４１ｃによって固定される。またモジュール保持板４１の受け部４１ｄは、充電操作ノブ１５の後端部を支持するためのものである。
モジュール保持板４１には、シャッタカバー３９の右側部３９ａに対応させた形状の切欠き部５５が形成されている。モジュール保持板４１は、切欠き部５５が右側部３９ａにはめ込まれ、また、モジュール保持板４１側の孔５７に露光ユニット２６側の位置決めピン５６が通されることによって、シャッタカバー３９と同一平面を成すように露光ユニット２６上の組み付け位置が決められ、図示しない係止爪等によって露光ユニット２６に固定される。
上記のようにして、モジュール保持板４１が露光ユニット２６に組み付けられることにより、デートモジュール３１の液晶パネル５０が、切欠き部５５を介して、シャッタカバー３９の右側部３９ａに形成された開口５８に対面される。なお、モジュールケース５２は、左側部が撮影レンズ１１を保持するレンズホルダ４０の外形に合わせて切り欠かれており、露光ユニット２６に組み付けた際に、レンズホルダ４０よりも前方に突出しないようにしてある。
第４図に断面で示すように、集光板１６は、透明なプラスチック樹脂を成形したものであり、その背面１６ｂには、断面が「Ｖ」字の溝形状の照明部１６ａが形成されている。ユニット本体１０の前面側に露呈された表面１６ｃに入射した外光は、集光板１６の内部で反射を繰返して照明部１６ａに達し、この照明部１６ａより背面側に射出される。これにより、集光板１６の広い表面１６ｃに当たった外光を集光して照明部１６ａから射出し、照明部１６ａに対面した液晶パネル５０を明るく照明するようにしている。なお、照明部１６ａの形状は、これに限らない。
この集光板１６は、前カバー２８の前面部とともに、撮影レンズ１１の中心を通る撮影光軸１１ａに直交する平面とほぼ平行となるように配される。また、集光板１６，前カバー２８の前面部に対してデートモジュール３１が平行となるように配されている。
第３図に示すように、ベース部３８の前面とシャッタカバー３９との間には、軸６０によって回動自在に支持されたシャッタ羽根４７が配されている。シャッタ羽根４７は、バネ６１によって、撮影用シャッタ開口６２を閉じる位置に付勢されている。この撮影用シャッタ開口６２は、ベース部３８の前面中央、すなわち撮影光軸１１ａ上に設けられている。シャッタ羽根４７は、その上端部４７ｂがシャッタレリーズに連動して図中右方向に移動される蹴飛ばしレバー６３によって蹴飛ばされ、軸６０を中心にして時計方向に回動され、この後、バネ６１によって反時計方向に回動される。このシャッタ羽根４７の１往復の揺動により、撮影用シャッタ開口６２が開閉される。この撮影用シャッタ開口６２の開閉の間に、撮影レンズ１１を透過した被写体光は、撮影用シャッタ開口６２からベース部３８内に入射し、アパーチャ３６の背後にセットされた写真フイルム３０ｂを露光する。また、シャッタ羽根４７が撮影用シャッタ開口６２を全開したときに、押圧片４７ａによってストロボユニット２７のシンクロスイッチ４４がＯＮとされる。このシンクロスイッチ４４のＯＮによりストロボ発光部１４からストロボ光が放出される。
ベース部３８を正面から見て、撮影用シャッタ開口６２の右上の部分でシャッタカバー３９の開口５８と対面する位置には、データ用シャッタ開口６５が形成されている。また、シャッタ羽根４７の下部からは、右上方向に向かって伸びた腕部６６ａが形成され、この腕部６６ａの一端にデータ用シャッタ部材６６が一体に形成されている。データ用シャッタ部材６６は、シャッタ羽根４７の揺動に連動してデータ用シャッタ開口６５を開閉する。
ベース部３８内でデータ用シャッタ開口６５の奥には、液晶パネル５０に表示されている日付データを写真フイルム３０ｂ上に投影・結像させるための投影レンズ６８が配され、固定リング６９によってベース部３８に固定されている。
第５図は、矢印でしめすフイルム給送方向すなわち撮影画面の長手方向に沿った露光ユニット２６の断面を概略的に示すものである。撮影レンズ１１は、写真フイルム３０ｂ側にフレアーの発生を防止するための遮光絞り７０を配した状態で、シャッタカバー３９の所定位置に装着されてレンズホルダ４０によって保持される。撮影光軸１１ａ上のシャッタカバー３９の部分には、開口絞り７１が形成されており、この開口絞り７１の背後でシャッタ羽根４７が撮影用シャッタ開口６２を開閉する。
撮影レンズ１１を透過した被写体光は、遮光絞り７０を介して開口絞り７１に入射し、この開口絞り７１で光量が制限される。開口絞り７１から射出された被写体光は、シャッタ羽根４７で撮影用シャッタ開口６２が開かれている間に撮影用シャッタ開口６２からベース部３８内に入射し、アパーチャ３６で規制された写真フイルム３０ｂの標準画面の全域を露光する。このとき、開口絞り７１から射出されて標準画面の長手方向（図中左右方向）の周縁部分に向かう被写体光は、図中に符号７３で示す光路を通る。
投影レンズ６８は、例えばベース部３８の内壁に取り付けられて矩形に開口したフレア防止枠７４に一体に形成されたレンズホルダ７５にはめ込まれ、前述の固定リング６９によって固定される。投影レンズ６８は、その先軸６８ａがデータ用シャッタ開口６５の中心よりも僅かに撮影光軸１１ａ側に寄った位置を通るように配されている。また、この投影レンズ６８やこれを保持するレンズホルダ７５，固定リング６９が光路７３を遮らないように配されている。投影レンズ６８の前面側には、開口絞り７６がレンズホルダ７５と一体に形成されている。このようにして、集光板１６，デートモジュール３１，データ用シャッタ開口６５，開口絞り７６，投影レンズ６８によってデータ写し込み装置が構成されている。
液晶パネル５０を透過したデート光は、データ用シャッタ部材６６でデータ用シャッタ開口６５が開かれている間に、開口５８，データ用シャッタ開口６５を介してベース部３８内に入射し、さらに開口絞り７６を介して投影レンズ６８に入射して、投影レンズ６８で写真フイルム３０ｂ上に投影される。この液晶パネル５０は、その中心が、投影レンズ６８の光軸６８ａに対して、撮影光軸１１ａから撮影画面の長手方向に離れる方向にずらして配置されている。これにより、液晶パネル５０に表示された日付データは、写真フイルム３０ｂ上で投影レンズ６８の光軸６８ａよりも撮影画面の長手方向で撮影光軸１１ａに寄った位置に結像される。なお、液晶パネル５０の実際の大きさはモジュールケース５２の開口よりも大きいが、ここでは液晶パネル５０とは、開口から露呈している表示領域を指しており、液晶パネル５０の中心とは表示領域の中心を指す。以下の説明において「液晶パネル５０の端」というのも、開口から露呈している表示領域の端を指している。また日付データはこの表示領域の一定の位置に表示され、表示位置が変化することはないものとする。
第６図に撮影レンズ１１側から見た各部材及び日付データの写し込みの位置関係を模式的に示す。なお、図中の符号８０は標準画面を、符号８１はＣサイズ画面をそれぞれ示している。液晶パネル５０の中心は、撮影画面の長手方向で投影レンズ６８の光軸６８ａよりも撮影光軸１１ａから離れる方向にずらされたデータ用シャッタ開口６５の中心に対して、さらに撮影レンズ１１の撮影光軸１１ａから離れる方向にずらされている。撮影レンズ６８の光軸６８ａに対する液晶パネル５０の中心のズラシ量は、標準画面よりも長手方向の長さが左右に短いＣサイズ画面内に日付データが記録されるように決められている。
このような位置関係で液晶パネル５０，データ用シャッタ開口６５，投影レンズ６８を配置することによって、投影レンズ６８やこれを保持するレンズホルダ７５，固定リング６９が標準画面の周縁部でも被写体光を遮らないようにしながら、日付データをＣサイズ画面内に写し込むことができる。この実施形態では、データ用シャッタ開口６５よりも、撮影画面の長手方向で撮影光軸１１ａに近づけたＣサイズ画面内の右上の日付記録位置８２に記録される。なお、データ用シャッタ開口６５及びシャッタカバー３９に形成された開口５８は、デート光がけられることなく開口絞り７６に入射されるようにその位置と大きさが調整されている。
上記のように、撮影画面の長手方向で撮影光軸１１ａから離れるようにずらしてデータ用シャッタ開口６５を配すことにより、データ用シャッタ部材６６や腕部６６ａが、シャッタ羽根４７に連動して実線で示す位置と二点鎖線で示す位置との間を移動する間に、撮影用シャッタ開口６２の前面を通過しないようにすることができる。より詳しくは、投影レンズ６８及び液晶パネル５０の位置を調節することにより、軸６０の中心から撮影用シャッタ開口６２の最遠端部までの距離を半径ＬＲとする円よりも外側にデータ用シャッタ開口６５を設け、これにより、データ用シャッタ部材６６や腕部６６ａが半径ＬＲよりも大きな半径で軸６０を中心にした回動軌跡を描くようにする。これにより、データ用シャッタ部材６６や腕部６６ａが撮影用シャッタ開口６２の前面を通過しないようにすることができ、撮影される被写体像に露光ムラが発生するといった問題を解消できる。
更に、データ用シャッタ部材６６がシャッタ羽根４７の回動軌跡よりも大きな半径で回動するので、データ用シャッタ部材６６によるデータ用シャッタ開口６５の開放時間は、シャッタ羽根４７が撮影用シャッタ開口６２を開放する時間よりも長くなる。これにより、集光板１６で集光した外光で液晶パネル５０を照明しながら、フイルム面に十分な光量のデート光が達するようにして、日付データを鮮明に写し込むことができるようにしている。
第７図に、第５図に示されたデータ写し込み装置のレイアウトを単純化して示す。なお、第７図では、フイルムユニットの上方から見たレイアウトを描いてある。符号８５は投影レンズ６８による液晶パネル５０の像面を示す。この実施形態では、投影レンズ６８は、その先軸６８ａが撮影光軸１１ａと平行となるように配置されており、液晶パネル５０は、撮影光軸１１ａに直交する平面１１ｂとほぼ平行に配置されている。このデータ写し込み装置は、前述のように、物体側から液晶パネル５０，開口絞り７６，投影レンズ６８の順に配置されている。これにより、投影レンズ６８の主点位置がレンズの中心に対して像側に移動するため、結果として投影レンズ６８から像面までの距離を長くすることができ、より鮮明に結像することができる。
また、投影レンズ６８の焦点距離をｆ，開口絞り７６から投影レンズ６８の像側の面までの間隔をｄ，投影レンズ６８の液晶パネル５０側及び像側の各面の曲率半径をそれぞれＲ１，Ｒ２としたときに、間隔ｄと焦点距離ｆ，投影レンズ６８の各面の曲率半径Ｒ１と曲率半径Ｒ２との関係が次の各条件式（１），（２）を満たすようにされている。
１＞ｄ／ｆ≧０．３・・・（１）
｜Ｒ１｜＞｜Ｒ２｜×３・・・（２）
上記条件式（１）によって、開口絞り７６から投影レンズ６８の像側の面まで間隔を制限し、投影レンズ６８の外径及び性能のバランスを確保している。例えば、条件式（１）の上限を値「ｄ／ｆ」が超えた場合には投影レンズ６８の外径が大きくなり、撮影光学系、すなわち撮影レンズ１１からの光線を遮らなくすることが困難となる。一方、下限を下回る場合には諸収差が大きくなり、本発明の条件下において周辺画質の低下が大きくなって、液晶パネル５０の像を均一で良好な画質に結像させるといった性能を確保できなくなる。
他方、条件式（２）は、条件式（１）の範囲で投影レンズ６８の性能を満足なものとするために投影レンズ６８の各面の曲率半径Ｒ１，Ｒ２を限定するものである。この条件式（２）を満たさない場合には、投影レンズ６８の光軸近傍の性能と軸外の性能とのバランスが悪くなってしまう。
また、投影レンズ６８の光軸６８ａに対する、光軸６８ａから離れた側の液晶パネル５０の端部から開口絞り７６の中央を臨む角度θが次の条件式（３）を満たすようにされている。
０＜θ＜０．５５・・・（３）
但し、この角度θは、液晶パネル５０から開口絞り７６までの距離をＳ，液晶パネル５０の長手方向の長さをＬ，液晶パネル５０の中心の投影レンズ６８の光軸６８ａに対するズラシ量をＱとしたときに、θ＝ＴＡＮ−１｛（Ｑ＋Ｌ／２）／Ｓ｝の式で与えられる。
角度θが大きくなるほど、すなわち液晶パネル５０の端部から開口絞り７６に向かうデート光の角度を大きくするほど、開口絞り７６でケラレが生じ、液晶パネル５０の各部から開口絞り７６に入射して射出される光量のバラツキが大きくなる。したがって、液晶パネル５０の像の露光ムラが発生しやすくなる。条件式（３）を満たすようにすることで露光ムラの低減が図られる。
なお、角度θを小さくするほど、露光ムラの低減効果を高くすることが可能となるが、このようにすると液晶パネル５０から像面までの距離を長くしなけらばならず、データ写し込み装置やこれを内蔵したフイルムユニットをコンパクトにできなくなる。このため、条件式（３）において、露光ムラの低減とデータ写し込み装置，フイルムユニットのコンパクト化とのバランスをとるように角度θを規定するのがよい。例えば、「０．３５＜θ＜０．５５」を満たすようにするとよい。
さらに、撮影レンズ１１のＦナンバーをＦ１，投影レンズのＦナンバーをＦ２としたときに、これらが次の条件式（４）を満たすようにされている。
ｌｏｇ２（Ｆ２）≦  ｌｏｇ２（ＦＴ）．．．（４）
この条件式（４）は、撮影レンズ１１による被写体光の露光量と、投影レンズ６８によるデート光の露光量の関係を規定しており、撮影レンズ１１の露光条件と比較して投影レンズ６８による露光レベルを同じか高く設定することで、液晶パネル５０による光量の減衰を補完させて液晶パネル５０の照明に自然光を利用できるようになる。
なお、好ましくは条件式（４）を「ｌｏｇ２（Ｆ２）＜  ｌｏｇ２（Ｆ１）−０．１５」として、投影レンズ６８による露光レベルを撮影レンズ１１の露光レベルより高く設定するのがよい。このＦナンバーの限定は液晶パネル５０の照明に自然光を利用することを前提としているが、コストをかければ発光ダイオードなどの光源を用いることも可能であり、このような場合、投影レンズのＦナンバーは上記条件式に限定されることなく、Ｆナンバーの大きな、即ち暗いレンズを用いることができる。これによりレンズの焦点深度が深くなるので、投影レンズ光軸に対する液晶パネルの傾きを緩くすることができる。
次に上記構成の作用について簡単に説明する。
シャッタボタン１７の抑圧操作が行われると、これに応答してシャッタ機構の蹴飛ばしレバー６３がシャッタ羽根４７の上端部４７ｂを蹴飛ばす。蹴飛ばされたシャッタ羽根４７は、バネ６１の付勢に抗して、軸６０を中心に第６図において時計方向に回動し、撮影用シャッタ開口６２を全開した後に、バネ６１の付勢力により反時計方向に回動して閉じ位置に戻る。この開閉中に撮影用シャッタ開口６２からは、撮影レンズ１１，開口絞り７１を通った被写体光がベース部３８の内部に入射する。そして、被写体光は、ベース部３８内でフレア防止枠７４の開口を通過してアパーチャ３６にセットされた写真フイルム３０ｂに入射する。このとき投影レンズ６８やその固定リング６９及びレンズホルダー７５が被写体光の周縁光路７３よりも外側に配されているので、被写体光を妨げることなく標準画面８０の全域に被写体の潜像が形成される。
また、シャッタ羽根４７の回動により、このシャッタ羽根４７と一体に形成されたデータ用シャッタ部材６６が軸６０を中心にして回動し、データ用シャッタ開口６５が開閉される。データ用シャッタ部材６６によるデータ用シャッタ開口６５の開閉中には、集光板１６の照明部１６ａより液晶パネル５０が照明された状態にあり、この液晶パネル５０を透過して作成されたデート光がシャッタカバー３９の開口５８を介してデータ用シャッタ開口６５からベース部３８の内部に入射する。このときデータ用シャッタ部材６６及び腕部６６ａが撮影用シャッタ開口６２の前を通過することがないので、被写体画像に露光ムラが生じない。
ベース部３８の内部に入射したデート光は、撮影光軸１１ａに対して撮影画面の長手方向で投影レンズ６８の光軸６８ａよりも離れた方向から開口絞り７６を介して投影レンズ６８に入射し、この投影レンズ６８により光軸６８ａよりも画面長手方向で撮影光軸１１ａに寄った日付記録位置８２に結像される。これにより、液晶パネル５０に表示されていた日付データがＣサイズ撮影画面８１内の右上の日付記録位置８２に、被写体像と重ねて記録される。
ストロボ撮影の場合には、シャッタボタン１７を押下操作する前に、充電操作ノブ１５を上方にスライド操作する。これにより、電池４５からの電圧が昇圧されてメインコンデンサ４３に充電が開始される。メインコンデンサ４３の充電が完了すると、充電操作ノブ１５の上方へのスライド操作に連動して、ユニット本体１０の上面の開口２０から突出したライトガイド１９を介して充電完了を示すランプの点灯が表示される。この表示を確認してからシャッタボタン１７を押下操作すれば、シャッタ羽根４７の揺動中にシンクロスイッチ４４がＯＮしたときに、ストロボ発光部１４からストロボ光が被写体に向けて照射される。被写体で反射したストロボ光が、集光板１６にも入射し、デート光が作成され、前述したと同様に写真フイルム３０ｂに投影される。従って、暗闇でのストロボ撮影の場合でも、確実に日付データを写し込むことができる。
以下、撮影を繰り返すことで、写真フイルム３０ｂの各撮影コマには、標準画面８０の全域に被写体像が写し込まれるとともに、Ｃサイズ画面８１内に日付データが写し込まれる。
最後の撮影コマに撮影を完了した後には、フイルム巻き上げ操作によって全部の撮影済みの写真フイルム３０ｂがカートリッジ筒３０ａの内部に巻き込まれる。撮影済みのフイルムユニットは、現像所に提出され、ここで露光済みの写真フイルム３０ｂが現像される。現像済みの写真フイルム３０ｂは、プリンタプロセッサにかけられ、これによりプリント写真が作成される。このときプリント写真のサイズに指定がない場合には、Ｃサイズ画面８１からＣサイズプリント写真が作成される。また、Ｈサイズプリント写真を指定すると、標準画面８０からＨサイズプリント写真が作成される。そして、作成されたプリント写真とカートリッジ筒３０ａに収納した現像済み写真フイルム３０ｂがユーザーに返却される。日付データがＣサイズ画面８１内に記録されているので、仕上がったプリント写真には、Ｈサイズ，Ｃサイズのいずれであってもそれぞれ日付データが記録されている。
この実施例では、データ写し込み装置が前述の条件式（１）〜（３）を満たすようにされているから、写し込まれた日付データは、露光ムラや画質の劣化が極めて少ない。また、データ用シャッタ開口６５が撮影用シャッタ開口６２よりも早いタイミングで開かれまた遅いタイミングで閉じられて露光時間が長くなされるとともに、条件式（４）を満たすから、日付データを十分な露光量で写真フイルム３０ｂ上に記録することができる。
次に上記のデート写し込み装置に用いられる投影レンズ６８の第１〜第７実施例について説明する。なお、第１〜第７実施例では、上記説明と共通な符号を付して説明する。また、第１〜第７実施例では、いずれも撮影レンズ１１の焦点距離は２４．８ｍｍ，Ｆナンバー（ＦＴ）は「１０」、投影レンズ６８のＦナンバー（Ｆ２）は「８．０」であり、
ｌｏｇ２（Ｆ１）≒３．３２
ｌｏｇ２（Ｆ２）＝３
であるから、条件式（４）を満たしている。
また、第１〜第５実施例及び第７実施例における投影レンズ６８の像側の面（第２面）は、光軸を座標のＺ軸とみなしたしたときに、次の条件式を満たすように形成された非球面である。式中のｃは第２面の曲率半径の逆数（＝１／Ｒ２）であり、ｈは光軸からの光線の高さを表す。各非球面係数Ｋ，Ａ，Ｂ，Ｃ，Ｄは各実施例の表に示す。
Ｚ＝ｃｈ２／［１＋√｛１−（１＋Ｋ）ｃ２ｈ２｝］
＋Ａｈ４＋Ｂｈ６＋Ｃｈ８＋Ｄｈ１０
［第１実施例］
第８図は、第１実施例による投影レンズ６８の光路図である。第１実施例の投影レンズ６８の仕様は次の通りである。
ｆ      ＝５．１３（ｍｍ）
Ｆ２    ＝８．０
ｄ      ＝２．９０（ｍｍ）
上記データ中、ｆは投影レンズの焦点距離、Ｆ２は投影レンズのＦナンバー、ｄは開口絞り７６から投影レンズ６８の像側の面までの間隔である。また、液晶パネル５０から開口絞り７６までの距離Ｓ，液晶パネル５０の長手方向の長さＬ，液晶パネル５０の中心の投影レンズ６８の光軸に対するズラシ量Ｑは、次のようにされている。
Ｓ    ＝７．６３（ｍｍ）
Ｌ    ＝３．００（ｍｍ）
Ｑ    ＝２．００（ｍｍ）
また、投影レンズ６８のレンズデータは次の表１の通りである。
なお、この第１実施例及び第２〜第７実施例におけるレンズデータの表中で、間隔の数値は、次の面との間の空気間隔あるいはレンズ厚みを表しているが、面「２」の欄に示された数値は、投影レンズ６８の像側の面から近軸焦点位置までの距離を示しており、像面の欄に示された数値は、近軸焦点位置から最良ピント位置までのズレ量を示している。これは、投影レンズの残存収差、特に球面収差が大きい場合には、最良ピント位置が近軸焦点位置よりもずれるためである。そして、このズレ量が「０」の場合には、最良ピント位置が近軸焦点位置とが一致するため、近軸焦点位置に写真フイルム３０ｂが配されるように、データ写し込み装置が配置されるが、ズレ量が「０」以外の場合には、最良ピント位置に写真フイルム３０ｂが配されるように、データ写し込み装置が配置される。また、ズレ量が正の場合には、近軸焦点位置に対して最良ピント位置が投影レンズ６８がら離れる方向に、負の場合には近軸焦点位置に対して最良ピント位置が投影レンズ６８に近づく方向にずれる。曲率半径Ｒ，間隔，有効径の単位はいずれも「ｍｍ」である。
【表１】
0003859195.tif 000002
0003859195.tif 000003
なお、上記表１で（＊）は、非球面であり、その非球面係数Ｋ，Ａ，Ｂ，Ｃ，Ｄは次の表２の通りである。
【表２】
0003859195.tif 000004
本発明の特徴値である「ｄ／ｆ」及び「θ」の各値は、
ｄ／ｆ≒０．５７
θ  ≒０．４３０
であり、条件式（１），（３）をそれぞれ満たすものとなっている。
また、Ｒ１，Ｒ２の関係は、
｜Ｒ１｜    ＝６３．２００
｜Ｒ２｜×３＝７．８２４
であるから、条件式（２）を満たすものとなっている。
上記第１実施例の投影レンズ６８の収差図を第９図及び第１０図に示す。なお、第９図，第１２図，第１５図，第１８図，第２１図，第２４図，第２７図中の非点収差グラフにおいて実線はＳａｇｉｔｔａｌ像面（球欠的像面）、破線はＴａｎｇｅｎｔｉａｌ像面（子午的像面）に対する収差を示す。また、第１〜第６実施例のコマ収差図である第１０図，第１３図，第１６図，第１９図，第２２図，第２５図において、上端、中央、下端とは、それぞれ像高比「１．００」，「０．５７」，「０．１４」を表し、第７実施例のコマ収差図である第２８図では像高比「１．００」，［０．５９」，「０．１８」を表している。また、図示のいずれの収差もｅ線（５４６．１ｎｍ）の光に対する収差である。
［第２実施例］
第１１図は、投影レンズの構成の第２実施例を示すものであり、投影レンズ６８の光路図である。第２実施例の各値は次の通りである。
ｆ    ＝５．０２（ｍｍ）
Ｆ２  ＝８．０
ｄ    ＝３．４７（ｍｍ）
Ｓ    ＝７．４７（ｍｍ）
Ｌ    ＝３．００（ｍｍ）
Ｑ    ＝２．００（ｍｍ）
また、投影レンズ６８のレンズデータは次の表３の通りである。
【表３】
0003859195.tif 000005
なお、上記表３で（＊）は、非球面であり、その非球面係数Ｋ，Ａ，Ｂ，Ｃ，Ｄは次の表４の通りである。
【表４】
0003859195.tif 000006
発明の特徴値である「ｄ／ｆ」及び「θ」の各値は、
ｄ／ｆ≒０．６９
θ  ≒０．４３８
であり、条件式（１），（３）をそれぞれ満たすものとなっている。
また、Ｒ１，Ｒ２の関係は、
｜Ｒ１｜    ＝２０．９０９
｜Ｒ２｜×３＝８．００７
であるから、条件式（２）を満たすものとなっている。上記第２実施例の投影レンズ６８の収差図を第１２図及び第１３図に示す。
［第３実施例］
第１４図は、投影レンズの構成の第３実施例を示すものであり、投影レンズ６８の光路図である。第３実施例の各値は次の通りである。また、第３実施例の投影レンズ６８の収差図を第１５図及び第１６図に示す。
ｆ    ＝５．０９（ｍｍ）
Ｆ２  ＝８．０
ｄ    ＝３．０９（ｍｍ）
Ｓ    ＝７．５６（ｍｍ）
Ｌ    ＝３．００（ｍｍ）
Ｑ    ＝２．００（ｍｍ）
投影レンズ６８のレンズデータは次の表５の通りである。
【表５】
0003859195.tif 000007
0003859195.tif 000008
なお、上記表５で（＊）は、非球面であり、その非球面係数を表６に示す。
【表６】
0003859195.tif 000009
本発明の特徴値である「ｄ／ｆ」及び「θ」の各値は、
ｄ／ｆ≒０．６１
θ  ≒０．４３４
であり、条件式（１），（３）をそれぞれ満たすものとなっている。
また、Ｒ１，Ｒ２の関係は、
｜Ｒ１｜    ＝４１．２２７
｜Ｒ２｜×３＝７．８６６
であるから、条件式（２）を満たすものとなっている。
［第４実施例］
第１７図は、投影レンズの構成の第３実施例を示すものであり、投影レンズ６８の光路図である。第４実施例の各値は次の通りである。また、この第４実施例の投影レンズ６８の収差図を第１８図及び第１９図に示す。
ｆ    ＝５．１０（ｍｍ）
Ｆ２  ＝８．０
ｄ    ＝５．００（ｍｍ）
Ｓ    ＝５．８５（ｍｍ）
Ｌ    ＝３．００（ｍｍ）
Ｑ    ＝２．００（ｍｍ）
投影レンズ６８のレンズデータは次の表７の通りである。
【表７】
0003859195.tif 000010
0003859195.tif 000011
なお、上記表７で（＊）は、非球面であり、その非球面係数を表８に示す。
【表８】
0003859195.tif 000012
本発明の特徴値である「ｄ／ｆ」及び「θ」の各値は、
ｄ／ｆ≒０．９８
θ  ≒０．５３９
であり、条件式（１），（３）をそれぞれ満たすものとなっている。
また、Ｒ１，Ｒ２の関係は、
｜Ｒ１｜    ＝１０．９３７
｜Ｒ２｜×３＝９．１７７
であるから、条件式（２）を満たすものとなっている。
［第５実施例］
第２０図は、投影レンズの構成の第５実施例を示すものであり、投影レンズ６８の光路図である。第５実施例の各値は次の通りである。また、この第５実施例の投影レンズ６８の収差図を第２１図及び第２２図に示す。
ｆ    ＝５．１６（ｍｍ）
Ｆ２  ＝８．０
ｄ    ＝１．６０（ｍｍ）
Ｓ    ＝８．６３（ｍｍ）
Ｌ    ＝３．００（ｍｍ）
Ｑ    ＝２．００（ｍｍ）
投影レンズ６８のレンズデータは次の表９の通りである。
【表９】
0003859195.tif 000013
0003859195.tif 000014
なお、上記表９で（＊）は、非球面であり、その非球面係数を表１０に示す。
【表１０】
0003859195.tif 000015
本発明の特徴値である「ｄ／ｆ」及び「θ」の各値は、
ｄ／ｆ≒０．３１
θ  ≒０．３８５
であり、条件式（１），（３）をそれぞれ満たすものとなっている。
また、Ｒ１，Ｒ２の関係は、
｜Ｒ１｜    ＝８．３７９
｜Ｒ２｜×３＝６．０８７
であるから、条件式（２）を満たすものとなっている。
［第６実施例］
第２３図は、投影レンズの構成の第６実施例を示すものであり、投影レンズ６８の光路図である。第６実施例の各値は次の通りである。また、この第６実施例の投影レンズ６８の収差図を第２４図及び第２５図に示す。
ｆ    ＝５．４４（ｍｍ）
Ｆ２  ＝８．０
ｄ    ＝１．７４（ｍｍ）
Ｓ    ＝９．０７（ｍｍ）
Ｌ    ＝３．００（ｍｍ）
Ｑ    ＝２．００（ｍｍ）
撮影レンズ６８のレンズデータは次の表１１の通りである。
【表１１】
0003859195.tif 000016
本発明の特徴値である「ｄ／ｆ」及び「θ」の各値は、
ｄ／ｆ≒０．３２
θ  ≒０．３６８
であり、条件式（１），（３）をそれぞれ満たすものとなっている。
また、Ｒ１，Ｒ２の関係は、
｜Ｒ１｜    ＝１２．６２０
｜Ｒ２｜×３＝６．７８６
であるから、条件式（２）を満たすものとなっている。
［第７実施例］
第２６図は、投影レンズの構成の第７実施例を示すものであり、投影レンズ６８の光路図である。第７実施例の各値は次の通りである。また、この第７実施例の投影レンズ６８の収差図を第２７図及び第２８図に示す。
ｆ    ＝６．７８（ｍｍ）
Ｆ２  ＝８．０
ｄ    ＝４．７２（ｍｍ）
Ｓ    ＝９．９２（ｍｍ）
Ｌ    ＝３．００（ｍｍ）
Ｑ    ＝２．１５（ｍｍ）
投影レンズ６８のレンズデータは次の表１２の通りである。
【表１２】
0003859195.tif 000017
0003859195.tif 000018
なお、上記表１２で（＊）は、非球面であり、その非球面係数を表１３に示す。
【表１３】
0003859195.tif 000019
本発明の特徴値である「ｄ／ｆ」及び「θ」の各値は、
ｄ／ｆ≒０．７０
θ  ≒０．３５３
であり、条件式（１），（３）をそれぞれ満たすものとなっている。
また、Ｒ１，Ｒ２の関係は、
｜Ｒ１｜      ＝１２．６５７
｜Ｒ２｜×３＝１２．５２８
であるから、条件式（２）を満たすものとなっている。
第２９図は、写真フイルム３０ｂが撮影画面の長手方向に撮影レンズ側に曲率中心を持つように湾曲して支持されている場合に、すなわち凹面を撮影レンズ１１側に向けて長手方向に湾曲ている場合に、写真フイルム３０ｂ上に液晶パネル５０の像をより良好な状態で結像させるために、液晶パネル５０を、撮影画面の長手方向で撮影光軸１１ａから離れるにつれ写真フイルム３０ｂ側に近づくように、投影レンズ６８の光軸６８ａに対して直交する平面６８ｂに対して傾斜させた、本発明の別の実施形態によるデータ写し込み装置の要部を概略的に示す。この実施形態では、投影レンズ６８の光軸６８ａは撮影レンズ１１の撮影光軸１１ａと平行である。液晶パネル５０の傾斜角度は、投影レンズ６８を介して結像される像の像面８５が、写真フイルム３０ｂの日付記録位置における湾曲面にほぼ一致するように定められる。これにより、液晶パネル５０に表示される日付データを、写真フイルム３０ｂの湾曲にともなうピントのずれがない状態で写真フイルム３０ｂ上に記録することができる。
また投影レンズ６８は、写真フイルム３０ｂ上での液晶パネル５０の像を収差なく、またシャープに記録するために非球面レンズとされている。これにより、液晶パネル５０の像は、収差が極めて少ない像として写真フイルム３０ｂ上に結像される。この実施形態による投影レンズ６８の仕様は、例えば次の通りである。
焦点距離ｆ    ＝５．１４ｍｍ
Ｆナンバー    ＝４．８７
投影倍率      ＝１．０５
有効Ｆナンバー＝８．０
また、投影レンズ６８のレンズデータは次の表１４の通りである。その他の構成は、第１の実施形態と同様であるので、詳細を省く。
【表１４】
0003859195.tif 000020
上記表１４で（＊）は、非球面であり、その非球面の条件式は上記の実施例と同様であり、その非球面係数を表１５に示す。
【表１５】
0003859195.tif 000021
第２９図の実施形態では液晶パネル５０を、長手方向に沿って湾曲した写真フイルムの撮影画面に対応させて、撮影画面の長手方向で撮影光軸１１ａから離れるほどフイルム面に近づくように傾斜させたが、例えば写真フイルムが球面状に支持される場合では、撮影画面の長手方向の他に撮影画面の短辺方向でもフイルム面の湾曲に沿って像面が形成されるように液晶パネル５０を傾斜させるとよい。
第３０図は、本発明の更に別の実施形態によるデータ写し込み装置の要部を概略的に示すものである。この実施形態では、写真フイルム３０ｂが長手方向に撮影レンズ側に曲率中心を持つように湾曲して支持されている場合に、投影レンズ６８を介して形成される液晶パネル５０の像面８５が、写真フイルム３０ｂの日付記録位置における曲面にほぼ一致するようにするために、投影レンズ６８の光軸６８ａを撮影光軸１１ａに対して傾ける一方、液晶パネル５０は、投影レンズ６８の光軸６８ａに直交する平面６８ｂに対して、フイルムの短辺方向（上下方向）に延びた軸を中心に傾けて、撮影光軸１１ａに直交する平面１１ｂとほぼ平行にしている。すなわち、投影レンズ６８は、撮影レンズ１１の撮影光軸１１ａを含み且つフイルム長手方向に平行な仮想的な平面（以下、撮影光軸の水平面という）に、この平面の垂直方向から投影レンズ６８の光軸６８ａを投射したときに、投射された光軸６８ａが撮影光軸１１ａと被写体側で交差するように配置されている。
これにより、液晶パネル５０ひいてはデートモジュール３１を、撮影光軸１１ａに直交する平面１１ｂとほぼ平行な集光板１６や前カバー２９の前面パネルとほぼ平行に配しながら、液晶パネル５０の像面８５が、写真フイルム３０ｂの湾曲面に沿って傾斜されるようにすることを可能にしている。液晶パネル５０を集光板１６の背面１６ｂとほぼ平行に配置することによって、ユニット本体１０内のデッドスペースが少なくなる上に、この集光板１６の照明部１６ａによって液晶パネル５０をムラなく照明することができるので、データの露光ムラがなくなる。その他の構成は上記実施形態と同様なので詳細を省く。
液晶パネル５０の像面８５の傾斜の度合いは、光軸６８ａに直交する平面６８ｂに対する液晶パネル５０の傾斜角度と，撮影光軸１１ａに対する光軸６８ａの傾斜角度とを調整することによって調整することができる。なお、写真フイルム３０ｂの湾曲に対して液晶パネル５０の像面８５を完全に沿わせる必要はなく、投影レンズ等の焦点深度を利用して実用上差し支えないようにすればよい。また、撮影光軸１１ａに対する光軸６８ａの角度は、液晶パネル５０の像面８５を写真フイルム３０ｂ上のどの位置に形成するかによっても変わるが、液晶パネル５０を撮影光軸１１ａに直交する平面１１ｂとほぼ平行となるように配置するためには、次の条件式を満たす範囲で調整するのがよい。
Ｒｃ×１．５＜Ｌａ＜Ｒｃ×４  ．．．（５）
上記式中の「Ｒｃ」は写真フイルムの曲率半径を、「Ｌａ」は前述の撮影光軸水平面上における投影された光軸６８ａと撮影光軸１１ａとの交点から写真フイルム３０ｂと撮影光軸１１ａとの交点までの長さを表している。
この条件式により、撮影光軸１１ａに直交する平面１１ｂに対する液晶パネル５０の平行の度合いと、湾曲によって発生するボケの補正の度合いとをバランスさせている。
なお、長さＬａが上限値「Ｒｃ×４」を越えた場合には、光軸６８ａが撮影光軸１１ａと平行に近づくため、平面１１ｂにほぼ平行な前カバー２８の前面パネルに対して液晶パネル５０をかなりの角度で傾斜させなくてはならなくなる。また、長さＬａが下限値「Ｒｃ×１．５」を下回った場合には、投影レンズ６８による液晶パネル５０の像面８５を傾斜する効果が大きくなるため、前カバー２８の前面パネルに対して液晶パネル５０をほぼ平行に維持しようとすると、湾曲に対する過剰補正となって、湾曲によって発生するボケと逆向きのボケが発生してしまう。
この例では、曲率半径Ｒｃが８０ｍｍ，投影レンズ６８の傾きが４．５°であって、撮影光軸１１ａと写真フイルム３０ｂとの交点から上記撮影光軸水平面上に投影された光軸６８ａと写真フイルム３０ｂとの交点までの長さが１０．６４ｍｍとされている。このとき、前記長さＬａが１３５．９２ｍｍ，「Ｒｃ×１．５」が１２０ｍｍ，「Ｒｃ×４」が３２０ｍｍとなり、上記の条件式（５）を満たしている。
液晶パネル５０は、前述の実施形態同様に日付記録位置を撮影光軸１１ａに寄せるために、その中心が投影レンズ６８の光軸６８ａからずらして配されている。これに対応して、液晶パネル５０と投影レンズ６８との間に配された開口絞り７６は、液晶パネル５０と同様に、その中心が光軸６８ａに対して撮影光軸１１ａから離れる方向にずらしてある。これにより、投影レンズ６８の外径の増大を防止している。
すなわち、液晶パネル５０の中心が光軸６８ａに対してずらされて配される場合に、上記のようにして投影レンズ６８の光軸６８ａを傾けた場合、仮に開口絞りの中心を２点鎖線８６で示すように投影レンズ６８の光軸６８ａ上に配すると、液晶パネル５０から射出されたデート光が投影レンズ６８の外周部分に広く入射するようになる。結果として、投影レンズ６８の外径を大きくしなければならず好ましくない。しかし、上記のように開口絞り７６の中心を光軸６８ａに対して、液晶パネル５０の中心をずらした方向と同方向にずらすことによって、投影レンズ６８の光軸６８ａ近傍にデート光を集めて入射させることが可能になり、投影レンズ６８の大径化を防止できる。また、液晶パネル５０の照明光源として自然光を利用する場合では、開口絞り７６の中心を光軸６８ａからずらすことによって、液晶パネルの中央から開口絞り７６の中央に向かうデート光の角度を撮影レンズ１１の撮影光軸１１ａに近づける作用がある。
なおこの実施形態は、液晶パネルの中心を投影レンズの光軸上に配する場合にも、液晶パネルの像面を写真フイルムの湾曲面に沿って形成するために利用できる。
また、写真フイルムを断面が一定の曲率半径の円弧形状になるよう湾曲させる場合について説明したが、断面が円弧形状と異なる曲面で凹面を撮影レンズ側に向けるようにして写真フイルムが湾曲される場合にも、本発明を利用することができる。この場合には、撮影光軸及び投影レンズの光軸のそれぞれが写真フイルムと交差する各位置を用いて擬似的曲率半径Ｒｃ’求めて、例えば、撮影光軸及び上記撮影光軸水平面上に投影された投影レンズの光軸の写真フイルムとの各交点における写真フイルム曲面の法線が交差する点から撮影光軸と写真フイルムの交点までの長さを擬似的曲率半径Ｒｃ’として、上記の条件式（５）のＲｃに置き換えて、長さＬａを求めるとよい。
上記実施形態のいずれにおいても、日付記録位置８２を撮影画面の短辺方向（上下方向）で調整するために、第３１図に示すように、撮影画面の短辺方向で液晶パネル５０の位置をデータ用シャッタ開口６５に対して上下させてもよい。例えば図示のように撮影画面右上に日付を記録する場合、投影レンズ６８の光軸６８ａよりも撮影画面の上方向に液晶パネル５０をずらすことによって、標準画面の上下をトリミングしたＰサイズ（パノラミック）プリント写真に対応した画面内に、標準画面用の被写体光を投影レンズ等で遮ることなく日付データを写し込むことができる。これによれば、プリントサイズ指定手段を備えていないがプリント時にＰサイズプリントを指定できるタイプのフイルムユニットにおいて、Ｐサイズを指定したときも日付が写真内に写し込まれているようにすることができる。
以上のように、上記実施形態によるデータ写し込み装置は、Ｃサイズ専用であるがプリント時にＨサイズを指定できるフイルムユニットに限らず、Ｈサイズ専用フイルムユニットもしくはカメラであるがプリント時にＣサイズまたはＰサイズを指定できるものにも実施できる。
第３２図は、本発明の別の実施形態によるデータ写し込み装置が組み込まれたフイルムユニットの外観形状を示すものである。フイルムユニットのユニット本体１００は、前面に撮影レンズ１１，対物側ファインダ窓１３，ストロボ発光部１４，充電操作ノブ１５，ファインダ切換つまみ９７，データ写し込み用開口９８等が設けられ、上面には、シャッタボタン１７，カウンタ窓１８，ストロボ充電の完了を表示するライトガイド１９が突出される開口２０等が設けられている。また背面側には、第３３図に示すように、巻き上げノブ２１，接眼側ファインダ窓２２等が設けられている。ユニット本体１００は、フイルムカートリッジ３０が装填され、各種撮影機構が取り付けられる本体部２５と、この本体部２５の前面に取り付けられる露光ユニット２６と、データ写し込み装置を構成するデートモジュール３１と、ストロボユニット２７と、本体部２５の前面側と背面側とを覆うように本体部２５に取り付けられる前カバー２８及び後カバー２９とからなる。これらは、爪係合によって着脱自在に組み立てられる。上記実施形態と基本的に同様の部材には同じ参照符号を用いて、詳細を省く。
第３２図のユニット本体１００は、各撮影コマごとにＰサイズ，Ｈサイズ，標準サイズの３種類のプリントサイズの中から一つのプリントサイズを任意に選択して撮影を行うことができる。プリントサイズの選択は、ファインダ切換つまみ９７をユニット本体１００前面に形成されたスリット９９に沿って移動させることによって、上記３種類のプリントサイズのうちのいずれかと相似形状の視野範囲を選択することにより行う。視野範囲の切り換えに連動して変更されるマークを写真フイルムに写し込み、プリント時にマークに応じてプリント処理することにより、指定されたサイズのプリント写真を得る。
このためストロボユニット２７のプリント基板４２には、図面の煩雑化を避けるために詳しくは図示しないが、プリントサイズを表すマークを写し込むための光電素子を含むマーク写し込み回路が、ストロボ回路の他に取り付けられている。
第３４図に示すように、前カバー２８は、前カバー本体１２５と、この前カバー本体１２５の前面に取り付けられる前面パネル１２６とからなり、前カバー本体１２５には、前面パネル１２６に形成された対物側ファインダ窓１３と同形状のファインダ開口１２７が形成され、これらが露光ユニット２６に組み込まれたファインダ光学系１２の前方に配置される。この、前カバー本体１２５と前面パネル１２６との間に、視野切換板１２８と、３個のマイクロスイッチ１２９〜１３１と、３枚のギヤ１３２〜１３４とが組み込まれる。なお、３枚のギヤ１３２〜１３４は、前カバー本体１２５の前面に形成された凹部１２５ａ内に回転自在に組み込まれる。
視野切換板１２８は、中央部分に形成された円形の開口１３６が前カバー本体１２５の前面に形成されたレンズ鏡筒１３７の外周に嵌めこまれることにより、前カバー本体１２５に回動自在に取り付けられる。視野切換板１２８の前面下部には、ボス１３８が一体に形成されており、このボス１３８は前面パネル１２６のレンズフード１３９の下方に形成された円弧形状のスリット９９に挿入される。スリット９９に挿入されたボス１３８には、前面パネル１２６の前面側から、ファインダ切換つまみ９７が取り付けられる。
視野切換板１２８の外周部分には、Ｐサイズファインダ枠１４０（アスペクト比３．０）と、Ｈサイズファインダ枠１４１（アスペクト比１．８）と、Ｃサイズファインダ枠１４２（アスペクト比１．５）とが形成されている。ファインダ切換つまみ９７を操作して視野切換板１２８を回動させることによって、ファインダ枠１４０〜１４２のいずれかを、対物側ファインダ窓１３とファインダ開口１２７との間に挿入することで、指定したプリントサイズに相似した視野範囲を得ることができる（第３７Ａ図，第３８Ａ図，第３９Ａ図参照）。
また第３３図に示すように、本体部２５の遮光筒３７の下方には、一対のマーキング用開口１０３が設けられている。これらの開口１０３には、ストロボユニット２７のプリント基板４２の背面側に取り付けられた発光素子がそれぞれ対面され、発光素子の放射した光が各開口１０３を通して写真フイルム３０ｂに照射される。後に詳しく説明するように、視野切換板１２８の回動位置によってマイクロスイッチ１２９〜１３１がオン・オフされることによって、発光素子のうちで発光する素子の数が変更され、写し込まれるマークの個数が変わり、プリントサイズの指定が行われる。なお、充電操作ノブ１５は、上下方向でスライド自在となるように前カバー本体１２５の前面に取り付けられ、上方にスライドしたときにプリント基板４２の前方に配置された金属接片４６を押圧して充電スイッチをオンする。ライトガイド１９は、充電操作ノブ１５に連動して上下移動する。
第３５図に示すように、露光ユニット２６のシャッタカバー３９の前面には、デートモジュール３１を保持するモジュール保持板４１が取り付けられる。液晶パネル５０には、モジュールケース５２の前面に形成された開口を介して、前カバー２８の前面に形成されたデータ写し込み用開口９８から入射した光が入射し、液晶パネル５０に白抜き表示された日付データを透過してモジュールケース５２の背面側の開口から射出される。モジュールケース５２の背面側の開口を通過した光は、モジュール保持板４１と、シャッタカバー３９とにそれぞれ形成された開口５８ａ，５８ｂと、ベース部３８に形成されたデータ用シャッタ開口５を通過して、ベース部３８内に入り込む。
ベース部３８内部でデータ用シャッタ開口６５の背後には、データ写し込み装置を構成する投影レンズ６８を保持したレンズホルダ１０４が取り付けられる。このレンズホルダ１０４は円板形状をしており、第３６図に示すように、ベース部３８内に組み込まれた保持板７４に回動自在に取り付けられる。また、レンズホルダ１０４の外周には、レンズホルダ１０４を１枚のギヤとして作用させるために複数枚の歯１０６が形成されている。
ベース部３８の側方には箱形状の凹部１０８が一体に形成されており、この凹部１０８にはレンズホルダ１０４の歯１０６に噛合する駆動ギヤ１０９が組み込まれる。駆動ギヤ１０９は透明なプラスチックで形成されており、液晶パネル５０から投影レンズ６８までの光学的長さを変化させる光路長調整版１１０が一体に形成されている。駆動ギヤ１０９には、ユニット本体１００の前後方向に沿って配置されるシャフト１１１が圧入され、このシャフト１１１の一端は凹部１０８内に設けられた軸受け部１０８ａに軸支される。また、凹部１０８内には、ベース部３８内に連なる開口１１２が形成されており、この開口１１２を介して駆動ギヤ１０９はレンズホルダ１０４の歯１０６に噛合する。これにより、シャフト１１１の回動によってレンズホルダ１０４が回動される。
シャフト１１１の他端には、前記３つのギヤ１３２〜１３４のうちの伝達ギヤ１３４が圧入されている。伝達ギヤ１３４は介在ギヤ１３３を介して従動ギヤ１３２に連結されており、この従動ギヤ１３２は、視野切換板１２８の開口１３６の外周に形成された円弧形のスリット１４４内に形成されたラックギヤ１４５噛合している。これにより、視野切換板１２８を回動すると、従動ギヤ１３２がラックギヤ１４５に噛合して回動し、介在ギヤ１３３と伝達ギヤ１３４も回動する。伝達ギヤ１３４には、前述のシャフト１１１が圧入されるため、シャフト１１１を介して視野切換板１２８の回動を駆動ギヤ１０９に伝達することができる。
レンズホルダ１０４と駆動ギヤ１０９との噛合状態を表す第３７Ｂ図，第３８Ｂ図，第３９Ｂ図に示すように、投影レンズ６８は、その光軸６８ａがレンズホルダ１０４の回動中心１０４ａに対してずれた位置となるようにレンズホルダ１０４に保持されているため、レンズホルダ１０４が回動することにより、デートモジュール３１内の液晶パネル５０に対する投影レンズ６８の位置が変位する。各ギヤ１３２〜１３４，１０９とレンズホルダ１０４の歯１０６の歯数等を調節することで、視野切換板１２８を各切換位置に回動させたときに、液晶パネル５０に対する投影レンズ６８の位置が変位して、第４０図に示すように、写真フイルム３０ｂの撮影コマ８０への日付データの記録位置を、Ｃ，Ｈ，Ｐの各プリントサイズに合った位置ＣＤ，ＨＤ，ＰＤに変位させることができる。
このとき、第３６図に示すように、ユニット本体１００のフイルム支持面２９ｃとアパーチャー３６とが写真フイルム３０ｂの搬送方向に沿って湾曲されているため、投影レンズ６８とＣサイズ用の日付記録位置ＣＤとの間の距離が、第３６図に２点鎖線で示すように、投影レンズ６８とＨ，Ｐサイズ用の日付記録位置ＨＤ，ＰＤとの間の距離より長くなる。このため、投影レンズ６８のピント位置をいずれか一方に合わせると他方の位置でピントが合わなくなるという問題が発生する。この問題を解決するために、投影レンズ６８のピント位置をＨ，Ｐサイズ用日付記録位置ＨＤ，ＰＤに合わせておき、視野切換板１２８がＣサイズの視野範囲に切り換えられた際には、駆動ギヤ１０９に一体に形成された光路長調整板１１０が、第３６図に２点鎖線で示すように、データ用シャッタ開口６５と投影レンズ６８との間に挿入されるようになっている。第３９Ｂ図及び第４１図に、この状態を詳しく示す。これにより、Ｃサイズが選択されたときには、液晶パネル５０の日付データの結像面が、写真フイルム３０ｂ上の撮影コマ８０内のＣサイズ用日付記録位置ＣＤに適合される。
液晶パネル５０の像面を湾曲したフイルム面に沿うようにするために、上記のように液晶パネル５０を投影レンズ６８の光軸６８ａに直交する面に対して傾けるとよい。さらに、投影レンズ６８の光軸６８ａを撮影レンズ１１の光軸１１ａに対して傾けてもよい。投影レンズ６８の光軸６８ａを傾ける場合も、レンズホルダ１０４の回動軸１０４ａは光軸６８ａと平行にする。
前カバー本体１２５の前面には、前面パネル１２６のデータ写し込み用開口９８に対面して開口１２５ｂが形成されており、データ写し込み用の光源として外光を液晶パネル５０に導いている。視野切換板１２８がＨサイズ位置とＰサイズ位置の際には、これらの開口９８，１２５ａにスリット１４４が対面するため、問題なく光を導くことができる。また、第３９Ａ図に示すように、視野切換板１２８がＣサイズ位置に回動されている際には、Ｈサイズ用ファインダ枠１４１に連なって形成された切欠１４７がこれらの開口９８，１２５ａの間に配置されるので、視野切換板１２８が光路を塞ぐことはない。
また、スリット１４４内にはマーク写し込み回路のマイクロスイッチ１２９が配置されており、スリット１４４の一方の内壁面には、マイクロスイッチ１２９を作動させるための突起１５０，１５１，１５２が設けられている。マイクロスイッチ１２９は、充電操作ノブ１５によってオンされる充電スイッチと並列に接続されており、この充電スイッチと同様にストロボ回路への充電の開始に用いられる。マーク写し込み回路はストロボ回路のメインコンデンサ４３からの電気を利用して発光素子を発光させように構成されているため、マークの写し込みを行うためには、撮影時にメインコンデンサ４３の充電が完了していなくてはならない。しかしながら、屋外等での撮影の際にはストロボが使用されないことが多く、メインコンデンサ４３が十分充電されていないこともある。これではマークが写し込まれず、プリントサイズの指定ができないので、視野範囲の切り換えるために視野切換板１２８が回動された際に、各突起１５０〜１５２でマイクロスイッチ１２９を押圧してオンさせ、メインコンデンサ４３を充電するようにしたものである。
また、上記マイクロスイッチ１２９と突起１５０〜１５２は、視野切換板１２８の各位置での係止にも用いられる。例えば、視野切換板１２８が第３７Ａ図に示すよに、Ｐサイズの位置にある際には、マイクロスイッチ１２９と突起１５０とが当接して視野切換板１２８をＰサイズの位置に保持する。同様に、第３８Ａ図に示すように、視野切換板１２８がＨサイズの位置にある際には、マイクロスイッチ１２９は二股形状の突起１５１に係合して視野切換板１２８を保持する。更に、第３９Ａ図に示すように、視野切換板１２８がＣサイズの位置にある際には、マイクロスイッチ１２９は突起１５２に当接して視野切換板１２８を保持する。
視野切換板１２８の下方に配置されているマイクロスイッチ１３０，１３１は、マーク写し込み用の２個の発光素子をそれぞれオン／オフさせるためのスイッチであり、マーク写し込み回路に接続されている。視野切換板１２８の外周には、マイクロスイッチ１３０，１３１を作動させるためのカム部１５４，１５５設けられている。例えば、第３７Ａ図に示すように、視野切換板１２８がＰサイズの位置にある際には、マイクロスイッチ１３０，１３１は共にオンするため、２個の発光素子も共に発光し、写真フイルム３０ｂに２個のマークを写し込む。また、第３８Ａ図に示すように、視野切換板１２８がＨサイズの位置にある際には、マイクロスイッチ１３０，１３１は共にオフとなるため、２個の発光素子も共に発光せず、写真フイルム３０ｂにはマークが写し込まれない。更に、第３９Ａ図に示すように、視野切換板１２８がＣサイズの位置にある際には、マイクロスイッチ１３１のみがオンするため、１個の発光素子が発光して写真フイルム３０ｂに１個のマークを写し込む。
次に、上記実施形態の作用について説明する。ユーザーは撮影したいプリントサイズに合わせてファインダ切換つまみ９７をスライド操作する。図示していないが、ファインダ切換つまみ９７が移動するスリット９９の外側には、ファインダ切換つまみ９７を合致させる３つの指標（Ｈサイズ，Ｐサイズ，Ｃサイズ）が設けられており、ファインダ切換つまみ９７をいずれかの指標に合わせる。
また、視野切換板１２８が回動されると、視野切換板１２８のスリット１４４内に設けられた突起１５０〜１５２がマイクロスイッチ１２９を押圧してオンさせる。これにより、ストロボユニット２７のメインコンデンサ４３の充電が行われる。例えば、ファインダ切換つまみ９７がＰサイズ位置に操作されると、第３７Ａ図に示すように、Ｐサイズ用ファインダ枠１４０が対物側ファインダ窓１３とファインダ光学系１２との間に挿入され、ファインダの視野範囲がＰサイズとなる。マイクロスイッチ１２９は、視野切換板１２８の突起１５０に当接して、視野切換板１２８をＰサイズ位置で保持する。
また、視野切換板１２８が回動されると、視野回動板１２８に設けられたラックギヤ１４５に噛合された従動ギヤ１３２が回動し、この従動ギヤ１３２の回転は介在ギヤ１３３と伝達ギヤ１３４とを介して、第３４図及第３５図に示すシャフト１１１に伝達される。シャフト１１１が回転すると、シャフト１１１の一端に固定された駆動ギヤ１０９が回転し、この駆動ギヤ１０９に外周の歯１０６が噛合されたレンズホルダ１０４が回転する。
レンズホルダ１０４には投影レンズ６８が、その先軸６８ａがレンズホルダ１０４の回動中心１０４ａに対してずれるように組み込まれているので、レンズホルダ１０４が回動すると液晶パネル５０に対する投影レンズ６８の位置が変化する。例えば視野切換板１２８がＰサイズの位置にセットされると、投影レンズ６８は、第３７Ｂ図に示すＰサイズ用の位置に配置される。
ストロボを使用せずに撮影を行う場合には、そのままファインダでフレーミングを行ってシャッタボタン１７を押下する。すると、露光ユニット２６のシャッタレリーズ機構が動作し、第３５図に示すシャッタ羽根４７を揺動させ、撮影用シャッタ開口６２を開放する。これにより、撮影レンズ１１によって写真フイルム３０ｂが被写体光で露光され、Ｈサイズの撮影コマ８０が記録される。
また、シャッタ羽根４７と一体に形成されたデータ用シャッタ部６６も揺動し、データ用シャッタ開口６５を開放する。これにより、前カバー２８に設けられたデータ写し込み用開口９８から入射した光がデートモジュール３１の液晶パネル５０を照明し、液晶パネル５０に表示されている日付データが投影レンズ６８によって写真フイルム３０ｂに投影される。投影レンズ６８が、レンズホルダ１０４の回転によってＰサイズ用の位置に設定されている場合、液晶パネル５０に表示されている日付データは、第４０図に示すように、撮影コマ８０のＰサイズ画面内の日付記録位置ＰＤに写し込まれる。
また、視野切換板１２８がＰサイズ用の位置にあるとき視野切換板１２８のカム部１５４が両方のマイクロスイッチ１３０，１３１をオンさせるので、シャッタレリーズと同時に、マーク写し込み回路は２個の発光素子を発光させる。これらの発光素子から放出された光は、本体部２５の遮光筒３７の下方に配置されたマーキング用開口１０３から写真フイルム３０ｂに写し込まれる。撮影後には、巻上げノブ１３を回転操作することで、撮影済みの写真フイルム３０ｂがカートリッジ筒３０ａ内に巻き上げられ、未露光の撮影コマ８０がアパーチャー３６に対面する位置に供給されるとともに、シャッタレリーズ等の撮影準備が行われる。
視野切換板１２８がＨサイズ位置に回動された場合には、第３８Ａ図に示すように、Ｈサイズ用ファインダ枠１４１が対物側ファインダ窓１３とファインダ光学系１２との間に配置され、また、レンズホルダ１０４の回転により投影レンズ６８は第３８Ｂ図に示す位置に移動される。これにより、シャッタレリーズと同時に、第４０図に示す日付記録位置ＨＤに日付データが写し込まれる。
更に、視野切換板１２８がＣサイズ位置に回動された場合には、第３９Ａ図に示すように、Ｃサイズ用ファインダ枠１４２が対物側ファインダ窓１３とファインダ光学系１２との間に配置され、また、レンズホルダ１０４の回転により投影レンズ６８は、第３９Ｂ図及び第４１図に示す位置に移動され、駆動ギヤ１０９に一体に形成されている光路長調整版１１０が投影光学系光路内に入り込む。これにより、第４０図に示すように撮影コマ８０のＣサイズ画面内の日付記録位置ＣＤに適正なピントで日付データが写し込まれる。
なお、上記実施形態では、光路長調整板で光路長を変化させるようにしたが、プリントサイズの切換動作に連動して投影レンズを光軸方向で移動させてもよい。この場合には、Ｃサイズに投影する際の投影倍率を等倍ないしは等倍以上とし、Ｈ．Ｐサイズでは投影倍率を低く設定するとよい。
また、フィルムユニットを例に説明したが、本発明は、プリントサイズの切り換えが可能なカメラにも適用することができる。通常のカメラは、フィルム支持面が湾曲されていないため、各サイズの日付記録位置ＨＤ，ＰＤ，ＣＤと投影レンズ６８との間の距離に大きな差がない。そのため、フイルム支持面が平板なカメラでは、光路長調整板を用いなくともよい。また、フイルムの湾曲面に沿って液晶パネルの像面を傾けるための構成も必要ない。
上記実施形態では、液晶パネルの像面が写真フイルムの湾曲に沿うようにするために、投影レンズの光軸を撮影レンズの撮影光軸に対して平行とし、液晶パネルだけを光軸に直交する平面に対して傾けた例と、投影レンズの光軸を撮影レンズの撮影光軸に対して傾けて、液晶パネルを撮影光軸に直交する平面に対してほぼ平行にした例について説明したが、撮影レンズの撮影光軸に対して直交する平面に対して液晶パネルを傾けるとともに投影レンズの光軸を撮影光軸に対して傾けて、液晶パネルの像面が写真フイルムの湾曲に沿うようにしてもい。
上記実施形態では、フイルムユニットの正面側から見て、写真フイルム上の撮影画面の右上に日付データを記録させているが、投影レンズ，液晶パネルの位置を変更することにより、撮影画面の右下、左上、左下等に日付データを写し込むことができる。また、データ用シャッタ部材をシャッタ羽根と一体にしたが、これを別々に設けシャッタ羽根の開閉動作に連動させてデータ用シャッタ部材の開閉動作を行うようにすることもできる。
上記実施形態では、表示パネルとして透過型の液晶パネルを用い、これを外光で照明してデート光を得ているが、ストロボ光の一部をライトガイドに直接に入射させて導光した光で液晶パネルを照明したり、撮影毎に点灯するライトをデートモジュールに内蔵しこれで照明してもよい。また、表示パネルとして、自ら光を放出する電子表示手段、例えば複数の発光ダイオードを「８」の字状に並べたものを複数個備えたものであってもよい。なお、このような照明用のランプを用いる場合や電子表示手段を用いる場合は、シャッタ羽根の動作に同期させてランプあるいは電子表示手段を点灯するようにすれば、特にデータ記録用露光量を制御するシャッタ部材がなくてもよい。もちろん、照明用のランプや電子表示手段の応答が遅い場合等では、シャッタ部材がデータ用のシャッタ開口を開閉する直前、例えばシャッタボタンを半押しにした状態で点灯させて、その後シャッタボタンが全押しされたときにシャッタ部材でデータ用のシャッタ開口を開くようにすれば、確実にしかも僅かな電力でデータを写真フイルムに記録することができる。
このように、本発明は上記実施例に限定されるものではなく、請求の範囲を逸脱することなく様々な変形が可能である。
産業上の利用可能性
上記説明は、フイルムユニットについて説明したが、本発明は、これに限らずカメラにも利用することができる。また、データとして撮影日を光学的に写し込む他に、各種の文字や記号等を写し込む場合にも利用することができる。
【図面の簡単な説明】
第１図は、本発明の第１の実施形態によるデータ写し込み装置を内蔵したフイルムユニットのユニット本体の外観を示す斜視図であり、
第２図は、第１図のユニット本体の構成を示す分解斜視図であり、
第３図は、データ写し込み装置を含む露光ユニットの分解斜視図であり、
第４図は、集光板の形状を示す断面図であり、
第５図は、第３図の露光ユニットの横断面図であり、
第６図は、正面側からシャッタ開口とデータ用シャッタ開口と液晶パネルの位置関係を示す説明図であり、
第７図は、撮影レンズの光路に対する投影レンズの光路と液晶パネルの位置関係を示す説明図であり、
第８図、第１１図、第１４図、第１７図、第２０図、第２３図、第２６図は、第１の実施形態によるデータ写し込み装置に用いる投影レンズの第１〜７実施例の光路図であり、
第９図、第１２図、第１５図、第１８図、第２１図、第２４図、第２７図は、各々第１〜７実施例の投影レンズの球面収差、非点収差、ディストーションの各収差を示す収差図であり、
第１０図、第１３図、第１６図、第１９図、第２２図、第２５図、第２８図は、各々第１〜７実施例の投影レンズのコマ収差を示す収差図であり、
第２９図は、本発明の第２の実施形態によるデータ写し込み装置の、撮影レンズ光路に対する投影レンズ光路と液晶パネルの位置関係を示す説明図であり、
第３０図は、本発明の第３の実施形態によるデータ写し込み装置の、撮影レンズ光路に対する投影レンズ光路と液晶パネルの位置関係を示す説明図であり、
第３１図は、本発明の第４の実施形態によるデータ写し込み装置の、前面側からシャッタ開口とデータ用シャッタ開口と液晶パネルの位置関係を示す説明図であり、
第３２図は、本発明の第５の実施形態によるデータ写し込み装置を内蔵したフイルムユニットのユニット本体の外観を示す斜視図であり、
第３３図は、第３２図のユニット本体の構成を示す分解斜視図であり、
第３４図は、第３２図のユニット本体の前カバーの構成を示す分解斜視図であり、
第３５図は、データ写し込み装置を含む露光ユニットの分解斜視図であり、
第３６図は、Ｈ又はＰサイズ用の日付記録位置に日付データを写し込む際のデータ写し込み装置の状態を示す、第３２図のフイルムユニットの要部断面図であり、
第３７Ａ図及び第３７Ｂ図は、Ｐサイズ位置にある視野切換板及びデータ写し込み装置の状態を示す説明図であり、
第３８Ａ図及び第３８Ｂ図は、Ｈサイズ位置にある視野切換板及びデータ写し込み装置の状態を示す説明図であり、
第３９Ａ図及び第３９Ｂ図は、Ｃサイズ位置にある視野切換板及びデータ写し込み装置の状態を示す説明図であり、
第４０図は、第５の実施形態によるデータ写し込み装置の撮影画面上での各サイズ用の日付記録位置を示す説明図であり、
第４１図は、Ｃサイズ用の日付記録位置に日付データを写し込む際のデータ写し込み装置の状態を示す、第３２図のフイルムユニットの要部断面図である。
【図１】
0003859195.tif 000022
【図２】
0003859195.tif 000023
【図３】
0003859195.tif 000024
【図４】
0003859195.tif 000025
【図５】
0003859195.tif 000026
【図６】
0003859195.tif 000027
【図７】
0003859195.tif 000028
【図８】
0003859195.tif 000029
【図１１】
0003859195.tif 000030
【図９】
0003859195.tif 000031
【図１０】
0003859195.tif 000032
【図１２】
0003859195.tif 000033
【図１３】
0003859195.tif 000034
【図１４】
0003859195.tif 000035
【図１７】
0003859195.tif 000036
【図１５】
0003859195.tif 000037
【図１６】
0003859195.tif 000038
【図１８】
0003859195.tif 000039
【図１９】
0003859195.tif 000040
【図２０】
0003859195.tif 000041
【図２３】
0003859195.tif 000042
【図２１】
0003859195.tif 000043
【図２２】
0003859195.tif 000044
【図２４】
0003859195.tif 000045
【図２５】
0003859195.tif 000046
【図２６】
0003859195.tif 000047
【図２７】
0003859195.tif 000048
【図２８】
0003859195.tif 000049
【図２９】
0003859195.tif 000050
【図３０】
0003859195.tif 000051
【図３１】
0003859195.tif 000052
【図３２】
0003859195.tif 000053
【図３３】
0003859195.tif 000054
【図３４】
0003859195.tif 000055
【図３５】
0003859195.tif 000056
【図３６】
0003859195.tif 000057
【図３７Ａ】
0003859195.tif 000058
【図３７Ｂ】
0003859195.tif 000059
【図３８Ａ】
0003859195.tif 000060
【図３８Ｂ】
0003859195.tif 000061
【図３９Ａ】
0003859195.tif 000062
【図３９Ｂ】
0003859195.tif 000063
【図４０】
0003859195.tif 000064
【図４１】
0003859195.tif 000065